(57)【要約】【課題】各音ごとに音量を調整することができ、また、構造の簡単化を図ることができるからくり打鈴装置を提供することにある。【解決手段】人形２０に取り付けた打鈴体１５１と、所定に間隔をおいて配置され、打鈴体１５１によって選択的に叩打される音階の異なる複数の棒鈴１６−１〜１６−７と、打鈴体１５１によって叩打された棒鈴１６−１から６−７の振動が伝達され、各伝達された叩打音に応じた音をピックアップ可能なピックアップ機構部１８と、を有し、ピックアップ機構部１８は、磁力を帯び、棒鈴１６−１〜１６−７に対応して近接して設けられた複数のアンテナ体(柱)１８３−１〜１８３−７と、各アンテナ体の振動をピックアップして電力に変換する一つのピックアップ用コイル１８４をと、を含み、アンテナ体１８３−１〜１８３−７は、対応する棒鈴１６−１〜１６−７との配置間隔を調整可能である。【選択図】図４
2006308910.tif 000002
【特許請求の範囲】
【請求項１】
装飾体に取り付けた打鈴体と、
所定に間隔をおいて配置され、上記打鈴体によって選択的に叩打される音階の異なる複数の被打鈴体と、
上記打鈴体によって叩打された上記被打鈴体の振動が伝達され、各伝達された叩打音に応じた音をピックアップ可能なピックアップ機構部と、を有し、
上記ピックアップ機構部は、
磁力を帯び、上記各被打鈴体に対応して近接して設けられた複数のアンテナ体と、
上記各アンテナ体の振動をピックアップして電力に変換するピックアップ用コイルをと、を含み、
上記アンテナ体は、対応する上記被打鈴体との配置間隔を調整可能である
からくり打鈴装置。
【請求項２】
上記被打鈴体は鈴台に取り付けられ、
上記ピックアップ機構部は上記鈴台の近傍に配置され、
上記鈴台には、上記ピックアップ用コイルにてピックアップ可能な音圧を得るための音圧調整部が形成されている
請求項１記載のからくり打鈴装置。
【請求項３】
上記ピックアップ用コイルは一つであって、上記複数のアンテナ体の配置領域近傍に配置されている
請求項１または２記載のからくり打鈴装置。
【請求項４】
上記ピックアップ機構部は、
上記複数のアンテナ体が螺合関係をもって移動可能に取り付けられる取り付け部を含む
請求項１、２、または３記載のからくり打鈴装置。
【請求項５】
上記ピックアップ機構部は、
上記被打鈴体の叩打音に時間差を持たせてピックアップした音を出力可能である
請求項１から４のいずれか一に記載のからくり打鈴装置。
【発明の詳細な説明】
【技術分野】
【０００１】
本発明は、人形等の装飾体に取り付けられた打鈴部材、たとえば撞木によって棒状の鈴体を叩打するからくり打鈴装置に関するものである。
【背景技術】
【０００２】
従来のからくり時計等の打鈴音は、一般的に疑似的に打鈴動作を行う人形とは別に、モータ等を用いて実際に棒鈴を打つ棒鈴実打機構で発生させていた。
【０００３】
そこで、人形が打鈴部材としての撞木によって棒鈴を叩打するからくり打鈴装置が提案されている。
このからくり打鈴装置によれば、従来のように人形が擬似的に叩打動作を行って、棒鈴音は別に発生させる方式のものに比して、実際に人形が棒鈴を叩打することにより、棒鈴からその棒鈴に対応する音階の音が発せられて人形による生演奏が行われ、装飾時計などに適用すると格段に装飾効果を向上させることができるので、近年では広く使用されるようになっている。
上記のようなからくり打鈴装置においては、演奏を行うときに、人形が、背景音楽に合わせて、複数の被打鈴体を音階を選択して叩打すると一層の装飾効果が得られる。
【０００４】
また、棒鈴(発音振動部)に磁石の小片を設け、この磁石の小片に対向した位置にピックアップコイルを設け、磁石の小片の振動に応じた電圧をピックアップコイルに発生指せ、このピックアップコイルの出力を増幅してスピーカから報音するようにした時計の報音装置が知られている(たとえば特許文献１参照)。
【特許文献１】実公平５−４８１５０号公報
【発明の開示】
【発明が解決しようとする課題】
【０００５】
現在使用されているこの種の打鈴装置では、回転台の周縁部に複数の棒鈴が取り付けられ、これら複数の棒鈴にそれぞれ対応して回転台上に複数の人形が固設され、回転台の回転に伴って、人形が、順次対応する棒鈴を叩打することにより、それぞれの棒鈴から対応する音階の音が発せられる方式のものである。
【０００６】
ところで、通常の棒鈴の演奏では一人の演奏者が、音階の異なる複数の棒鈴を叩打することが多く、からくり打鈴装置でも、一個の人形が複数の棒鈴を叩打した方が実際の生演奏に近く、たとえば装飾時計に適用した場合に、その装飾効果を高めることが可能になる。
【０００７】
しかしながら、従来の打鈴装置においては、組み立てると各音量が固定されて、各音ごとに調整することができないという不利益があった。
また、各音に対応した棒鈴ごとにコイルを配置する必要があり構造が複雑になるという不利益があった。
【０００８】
本発明の目的は、各音ごとに音量を調整することができ、また、構造の簡単化を図ることができるからくり打鈴装置を提供することにある。
【課題を解決するための手段】
【０００９】
上記目的を達成するため、本発明に係るからくり打鈴装置は、装飾体に取り付けた打鈴体と、所定に間隔をおいて配置され、上記打鈴体によって選択的に叩打される音階の異なる複数の被打鈴体と、上記打鈴体によって叩打された上記被打鈴体の振動が伝達され、各伝達された叩打音に応じた音をピックアップ可能なピックアップ機構部と、を有し、上記ピックアップ機構部は、磁力を帯び、上記各被打鈴体に対応して近接して設けられた複数のアンテナ体と、上記各アンテナ体の振動をピックアップして電力に変換するピックアップ用コイルをと、を含み、上記アンテナ体は、対応する上記被打鈴体との配置間隔を調整可能である。
【００１０】
好適には、上記被打鈴体は鈴台に取り付けられ、上記ピックアップ機構部は上記鈴台の近傍に配置され、上記鈴台には、上記ピックアップ用コイルにてピックアップ可能な音圧を得るための音圧調整部が形成されている。
【００１１】
好適には、上記ピックアップ用コイルは一つであって、上記複数のアンテナ体の配置領域近傍に配置されている。
【００１２】
好適には、上記ピックアップ機構部は、上記複数のアンテナ体が螺合関係をもって移動可能に取り付けられる取り付け部を含む。
【００１３】
好適には、上記ピックアップ機構部は、上記被打鈴体の叩打音に時間差を持たせてピックアップした音を出力可能である。
【発明の効果】
【００１４】
本発明によれば、各音ごとに音量を調整することができ、また、構造の簡単化を図ることができる。
【発明を実施するための最良の形態】
【００１５】
以下、本発明の実施形態を添付図面に関連付けて説明する。
【００１６】
図１は本発明に係るからくり打鈴装置の一実施形態を示す正面図、図２は本発明に係るからくり打鈴装置の一実施形態を示す側面図、図３は本発明に係るからくり打鈴装置の一実施形態を示す平面図である。
【００１７】
本からくり打鈴装置１０は、基台１１、駆動用ステッピングモータ１２、固定軸１３、回転取り付け台１４、実打機構１５、被打鈴体としての棒鈴１６−１〜１６−７、棒鈴台１７、ピックアップ機構部１８、および装飾体としての人形体２０を主要部として構成されている。
【００１８】
基台１１は、中空の箱形状をなし、その下板１１ａ側にモータ１２が、所定長さを有し、たとえば偏平ないわゆるＤカット形状形成された回転軸１２１が基台中空部に臨むように取り付けされている。
また、基台１１の上板１１ｂ側には、取り付け軸１８が取り付けられ、この取り付け軸１８に対して回転可能に回転取り付け台１４が配設されている。
さらに、基台１１の上板１１ｂの一側縁部に一体に、上板１１ｂの上面に直角に保持腕１１ｃが延長形成され、この保持腕１１ｃの延長端部に棒鈴台１７が取り付けられている。
この棒鈴台１７に、打鈴部材としての撞木により叩打され、それぞれの音階の音を発する７本の棒鈴１６−１〜１６−７が、モータ１２の回転軸１２１の回転力が伝達される固定軸１３の同心円上に配列固定されている。
【００１９】
固定軸１３は、円筒状をなし、一端側には、一端面側から軸方向に延びる第１の挿入孔１３１と、側面から第１の挿入孔１３１に達する第１の固定用ネジ穴１３２とが形成され、他端側の側部には後述する第２のネジを先端部を案内する溝１３３が形成されている。
固定軸１３は、一端側が基台１１の中空部に臨み、他端側が回転取り付け台１４の取り付け位置に臨むように、基台１１の上板１１ｂおよび取り付け軸１８に回転可能に貫挿されている。
そして、たとえば偏平（たとえばＤカット）形状に形成されているモータ回転軸１２１の先端部が固定軸の一端側に形成された第１の挿入孔１３１に挿入された状態で、第１のネジ１３４が第１の固定用ネジ穴１３２に対して、第１のネジ１３４の先端部がモータ回転軸１２１の偏平部に当接して締結するように螺合される。これにより、モータ回転軸１２１に固定軸１３の一端部が固定される。
【００２０】
回転取り付け台１４は、その上面側がいわゆるＬ字台状に形成されており、このＬ字台部１４１の鉛直側面に実打機構１５が取り付けされている。
回転取り付け台１４の下面側には、軸方向に延びる第２の挿入孔１４２と、側面から第２の挿入孔１４２に達する少なくとも一つ（本実施形態では２個）の第２の固定用ネジ穴１４３とが形成されている。
この第２の挿入孔１４２には、固定軸１３の他端側を挿入した状態で、第２のネジ１４４が第２の固定用ネジ穴１４３に対して、第２のネジ１４４の先端部が固定軸の他端側の溝１３３の側部に当接して締結するように螺合される。これにより、回転取り付け台１４に固定軸１３の他端部が固定される。
本実施形態では、回転取り付け台１４は、Ｌ字台部１４１が、棒鈴台１７の配置方向とは逆方向に位置するように固定される。
【００２１】
この回転取り付け台１４は、モータ１２の図示しない制御部による駆動によってモータ回転軸１２１に伝達された回転力により回転し、７つの棒鈴１６−１〜１６−７が配置されている複数の角度位置まで回転して角度位置に停止するように駆動される。
すなわち、被打鈴体としての棒鈴１６−１〜１６−７は、回転取り付け台１４の複数の角度位置に対応してそれぞれ配設される。
【００２２】
実打機構１５は、打鈴体１５１、支持体１５２、ソレノイド１５３、回転軸１５４、およびコイルバネ１５５を主要部として構成されている。
【００２３】
打鈴体１５１は、その途中部分で略Ｌ字形状となるように屈曲した構造を有し、その一端部に撞木１５１ａが設けられ、他端部にソレノイド１５３の作動軸１５３ａの取り付け部１５１ｂが形成されている。そして、この取り付け部１５１ｂに対してソレノイド１５３の作動軸１５３ａの先端部が取り付けられている。
【００２４】
支持体１５２は、一端部の中央部がＵ字形状に形成された平板状をなし、平板部１５２ａの一端部に対して直交するように形成された鍔部１５２ｂを有し、この鍔部１５２ａが棒鈴台１７側に向くように、他端部が回転取り付け台１４のＬ字台部１４１の鉛直側面に固定され、かつ、その平板部１５２ａの一面側にソレノイド１５３が、作動軸１５３ａが上方に向くように取り付けられている。
また、鍔部１５２ｂの先端部には、打鈴体１５１の屈曲部に取り付けられ、打鈴体を回動自在に支持する回転軸１５４が軸支されている。
そして、平板部１５２ａの他面側に鍔部１５２ｃが形成され、この鍔部１５２ｃと打鈴体１５１の屈曲部の他端側近傍部との間に、コイルバネ１５５が懸架されている。
【００２５】
そして、実打機構１５のうち、打鈴１５１の一端部を除いた部分および回転取り付け台１４が人形体２０内に収納されている。
【００２６】
ピックアップ機構部１８は、７つの棒例１６−１〜１６−７に対応するように７つのピックアップ部１８−１〜１８−７が棒鈴台１７の所定の位置に近接するように形成されて構成されている。
【００２７】
図４(a)〜(c)は、本実施形態に係るピックアップ機構部の具体的な構成例を示す図であって、図４(a)は要部の上面図、図４(b)は正面図、図４(c)は簡略側断面図である。
【００２８】
まず、棒鈴台１７は、図４(c)に示すように、天板部１７１と背板部１７２を有し、側断面が略Ｌ字をなすように形成されている。棒鈴台１７はたとえば鉄板により形成される。
天板部１７１の前面側に、打鈴部材としての撞木により叩打され、それぞれの音階の音を発する７本の棒鈴１６−１〜１６−７が、取り付け孔１７１a−１〜１７１a-7を通して同心円上に配列固定されている。
そして、ピックアップ機構部１８は、棒鈴台１７の天板部１７１の下面側と背板部１７２の前面側とで形成される空間部に配置されている。
【００２９】
ピックアップ機構部１８は、棒鈴台１７の背板部１７２の幅と略同じ幅を有する板状の第１（上）取り付け板１８１、第１取り付け板１８１と背板部１７２の前面との間に配置される第２（下）取り付け板１８２、７本の各棒鈴１６−１〜１６−７に対応して設けられるたとえば円柱状の鉄心からなる７本のアンテナ柱１８３−１〜１８３−７、第１取り付け板１８１の背面側と第２取り付け板１８２の前面側との間に配置されたピックアップ用コイル１８４、および第２取り付け板１８２の背面側(背板部１７２の前面に対向する面)に配置された磁石１８５を、主構成要素として有している。
第１取り付け板１８１と第２取り付け板１８２により取り付け部が構成される。
【００３０】
第１取り付け板１８１は、ねじ１９１−１〜１９１−４により、スペーサ１９２−１〜１９２−４を通して棒鈴台１７の背板部１７２の前面側に所定の収納空間を形成するように４角部分が固定されている。
そして、第１取り付け板１８１には、棒鈴台１７の天板部１７１に形成された棒鈴取り付け孔１７１a-1〜１７１a-7に対応するように、その幅方向(棒鈴の配置方向)に所定間隔をおいてアンテナ柱１８３−１〜１８３−７が挿通可能な円筒状の挿通孔１８１１〜１８１７が形成されている。
これら挿通孔１８１１〜１８１７に円柱状の各アンテナ柱１８３−１〜１８３−７の先端部側が、対応する棒鈴１６−１〜１６−７の側面部に近接し、棒鈴の振動をピックアップ（検知する、あるいは、拾う)ことが可能に配置される。
【００３１】
第２取り付け板１８２は、幅(横)は第１取り付け板１８１と略同様に設定され、高さ(縦)は第１取り付け板１８１の略半分に設定され、ねじ１９２−１，１９２−２により第１取り付け板１８１に対して、その背面側と所定間隔をおいて固定されている。
そして、第２取り付け板１８２には、固定状態において、第１取り付け板１８１に形成された挿通孔１８１１〜１８１７に対応するように挿通孔１８２１〜１８２７が形成されている。
これら挿通孔１８２１〜１８２７には、後記するアンテナ柱１８３−１〜１８３−７の後端部形成された雄ねじ部が螺合される、雌ねじ部１８２１a〜１８２７aが形成されている。
【００３２】
アンテナ柱１８３−１〜１８３−７は、たとえば円柱状をなす鉄心からなり、第１取り付け板１８１に形成された挿通孔１８１１〜１８１７に挿入され、先端部が棒鈴台１７に固定された対応する棒鈴１６−１〜１６−７の側面部に近接し、棒鈴の振動を検知する(受ける、あるいは、拾う)ことが可能に配置される。
アンテナ柱１８３−１〜１８３−７の後端部にはその軸方向に延長するように雄ねじ部１８３１〜１８３７が一体的に形成されている。
これら雄ねじ部１８３１〜１８３７は、第２取り付け板１８２に形成された挿通孔１８２１〜１８２７に形成された雌ねじ部１８２１a〜１８２７aに螺合される。
そして、雄ねじ部１８３１〜１８３７の後端部には、プラスあるいはマイナスのねじ溝が形成されている。
挿通孔１８２１〜１８２７は、磁石１８５に挟まれるような位置に形成されている。
【００３３】
雄ねじ部１８３１〜１８３７の後端部は、図４(a)に示すように、棒鈴台１７の背板部１７２の前面側に位置するが、この背板部１７２には、取り付け状態にある第２取り付け板１８２の挿通孔１８２１〜１８２７に対応する位置に、たとえばドライバの先端部を挿入可能で、雄ねじ部１８３１〜１８３７のねじ溝を回転させてアンテナ柱１８３−１〜１８３−７の先端部と対応する棒鈴１６−１〜１６−７の側部間の間隔を調整することを可能とする調整孔１７２a-1〜１７２a-7が形成されている。
【００３４】
アンテナ柱１８３−１〜１８３−７は、たとえば第１取り付け板１８１の挿通孔１８１１〜１８１７の前面側から雄ねじ部１８３１〜１８３７の後端部を挿入してから雄ねじ部１８３１〜１８３７を、第２取り付け板１８２の挿通孔１８２１〜１８２７に形成された雌ねじ部１８２１a〜１８２７aに螺合することにより、おおよその位置に取り付けられる。
そして、棒鈴台１７の背板部１７２に形成された調整孔１７２a-1〜１７２a-7に背面側からドライバを挿入して、雄ねじ部１８３１〜１８３７のねじ溝を回転させてアンテナ柱１８３−１〜１８３−７の先端部と対応する棒鈴１６−１〜１６−７の側部間の間隔が微調整される。
【００３５】
前述したように、第２取り付け板１８２の挿通孔１８２１〜１８２７は、磁石１８５に挟まれるような位置に形成されており、アンテナ柱１８３−１〜１８３−７は、この磁石の磁力が及ぶ領域にアンテナ柱１８３−１〜１８３−７の一部あるいは全体が位置するよう配置され、かつ、ピックアップ用コイル１８４に近接して配置される。
したがって、棒鈴１６−１〜１６−７のいずれかが撞木により叩打され所定の音階の鈴音が発生られるが、このときの棒鈴１６−１〜１６−７の振動が対応するアンテナ柱１８３−１〜１８３−７に伝達され、このアンテナ柱１８３−１〜１８３−７の振動により各アンテナ柱１８３−１〜１８３−７の近傍における磁界が変化し、この変化量がコイル１８４でピックアップされる。
【００３６】
図５は、本実施形態のピックアップ機構部による報音装置の構成例を示す回路図である。
この報音装置３０は、アンテナ柱１８３（−１〜−７）、コイル１８４に加えて、結合キャパシタ３１、たとえば演算増幅器からなる増幅回路３２、およびスピーカ３３を有している。
このような構成を有する報音装置３０は、図示しない回路基板に搭載される。
【００３７】
報音装置３０においては、棒鈴１６−１〜１６−７の振動が対応するアンテナ柱１８３−１〜１８３−７に伝達され、このアンテナ柱１８３−１〜１８３−７の振動により各アンテナ柱１８３−１〜１８３−７の近傍における磁界が変化し、この変化量がコイル１８４でピックアップされ、コイル１８４に電力が発生し、この振動に基づく電圧が増幅回路３２で増幅することによってスピーカ３３から棒鈴１６−１〜１６−７が発する音が出力される。
【００３８】
なお、報音装置は、図５の構成に限定されるものでない。
たとえば、制御系３４によりスピーカ３３からの出力タイミングを遅延されたりして棒鈴１６から発生されている音と時間差を持たせる等により、より深みのある音を得ることができる等、種々の態様が可能である。
【００３９】
また、音の振動エネルギーは低音側の方が大きく高音側が小さいことから、高音側で十分な音圧を得ることができず、ピックアップ機構部１８において高音側を十分にピックアップすることができない場合が発生するおそれがある。
そこで、たとえば図６(ａ)〜(ｂ)に示すように、高音側に対応する棒鈴台１７の所望の位置に音圧調整部としてのスリット４０を形成して、高音側の振動エネルギーの伝達領域を所定の範囲に限り、他の領域への伝達を抑止してピックアップに十分な音圧を得るように構成する。
これにより、低音側のみならず高音側も十分な振動エネルギーを得ることができ、すべての音階でピックアップ機構部１８による叩打音に応じた音をスピーカ３３から放音することが可能となる。
なお、音圧調整部は、スリットに限定されるものではなく、空隙等であっても同様の効果を得ることができる。
【００４０】
次に、上記構成による実打機構の叩打動作について説明する。
【００４１】
たとえばモータ１２が図示しない制御部により回転駆動され、回転取り付け台１４が所定の複数の角度位置まで回動して所定の角度位置に停止する。そして、実打機構１５によって駆動される打鈴体１５１によって、複数の角度位置に対応して、人形体２０の周囲に配設された複数の棒鈴１６−１〜１６−７が順次叩打される。
この場合、通常の回転制御によって、回転取り付け台１４はスムーズに移動しかつ複数（本実施形態では７）のうちの所定の角度位置に精度よくスムーズに停止される。
【００４２】
所定の角度位置に停止したときは、ソレノイド１５３が非励磁の保持されている。このソレノイド１５３が非励磁時には、図２に示すように、打鈴体１５１の一端部に取り付けられた撞木１５１ａがたとえば棒鈴１６−１から離れた位置に保持される。
この状態で、ソレノイド１５３が励磁される。これにより、その作動軸１５３ａが直線的に伸びるように出力され、打鈴体１５１の他端部を押し上げる。
これにより、図７に示すように、回転軸１５４を中心に打鈴体１５１が反時計方向に回転し、その一端部が棒鈴１６−１に向かって移動し、撞木１５１ａが所定の叩打力をもって棒鈴１６−１が叩打し、所定の音階の鈴音が発せられる。
このとき、コイルバネ１５５は安定状態にはなく、延びた状態となる。
【００４３】
そして、ソレノイド１５３が非励磁状態とされる。これにより、その作動軸１５３ａが直線的に初期状態に戻され、打鈴体１５１の他端部が押し下げられる。このとき、コイルバネ１５５が安定状態に戻ろうとする弾性力に打鈴体１５１の他端部が押し下げ動作が補助される。
これにより、図２に示すように、回転軸１５４を中心に打鈴体１５１が時計方向に回転し、その一端部が棒鈴１６−１から離れた位置に向かって移動する。
【００４４】
以上の回転および叩打制御が複数（本実施形態では７）のうちの所定の角度位置に対して順次行われることにより、一個の人形体２０によって、複数の棒鈴１６−１〜１６−７が安定かつ正確に叩打される。
【００４５】
以上のように、棒鈴１６−１〜１６−７のいずれかが撞木により叩打され所定の音階の鈴音が発生られるが、棒鈴１６−１〜１６−７の振動が対応するアンテナ柱１８３−１〜１８３−７に伝達され、このアンテナ柱１８３−１〜１８３−７の振動により各アンテナ柱１８３−１〜１８３−７の近傍における磁界が変化し、この変化量がコイル１８４でピックアップされ、コイル１８４に電力が発生し、この振動に基づく電圧が増幅回路３２で増幅することによってスピーカ３３から棒鈴１６−１〜１６−７が発する音が出力される。
【００４６】
以上説明したように、本実施形態によれば、人形２０に取り付けた打鈴体１５１と、所定に間隔をおいて配置され、打鈴体１５１によって選択的に叩打される音階の異なる複数の被打鈴体として棒鈴１６−１〜１６−７と、打鈴体１５１によって叩打された棒鈴１６−１〜１６−７の振動が伝達され、各伝達された叩打音に応じた音をピックアップ可能なピックアップ機構部１８と、を有し、ピックアップ機構部１８は、磁力を帯び、棒鈴１６−１〜１６−７に対応して近接して設けられた複数のアンテナ体(柱)１８３−１〜１８３−７と、各アンテナ体の振動をピックアップして電力に変換する一つのピックアップ用コイル１８４をと、を含み、アンテナ体１８３−１〜１８３−７は、対応する棒鈴１６−１〜１６−７との配置間隔を調整可能であり、ピックアップ機構部１８は打鈴台１７の近傍に配置され、打鈴台１７には、ピックアップ用コイルにてピックアップ可能な音圧を得るための音圧調整部としてのスリット４０が形成されていることから、各音ごとに音量を調整することができ、また、構造の簡単化を図ることができる。
また、低音側のみならず高音側も十分な振動エネルギーを得ることができ、すべての音階でピックアップ機構部１８による叩打音に応じた音をスピーカ３３から放音することが可能となる。
【００４７】
また、ピックアップ機構部１８は、棒鈴１６−１〜１６−７の叩打音に時間差を持たせてピックアップした音を出力可能であることから、より深みのある音を得ることができる。
【００４８】
また、本実施形態によれば、簡単な構成で装飾体を被打鈴体位置に精度よく移動させ、一個の装飾体で複数の被打鈴体を正確に叩打できるようにする微調整を簡単かつ正確に行うことができる。
その結果、打鈴体によって、目的の被打鈴体を正確に叩打することが可能になり、また、叩打時の叩打力および叩打位置のバラツキを抑制でき、音色、音圧を良好に保つことができる。
【００４９】
また、本実施形態によれば、実打機構を小型化することができる。これにより、人形体を大型化することなく実打機構を人形体の内部に収納することができる。
【図面の簡単な説明】
【００５０】
【図１】本発明に係るからくり打鈴装置の一実施形態を示す正面図である。
【図２】本発明に係るからくり打鈴装置の一実施形態を示す側面図であって、非打鈴時の状態を示す図である。
【図３】本発明に係るからくり打鈴装置の一実施形態を示す平面図である。
【図４】本実施形態に係るピックアップ機構部の具体的な構成例を示す図である。
【図５】本実施形態のピックアップ機構部による報音装置の構成例を示す回路図である。
【図６】棒鈴台にスリットを形成した構成を説明するための図である。
【図７】本発明に係るからくり打鈴装置の一実施形態を示す側面図であって、打鈴時の状態を示す図である。
【符号の説明】
【００５１】
１０…からくり打鈴装置
１１…基台
１２…駆動用ステッピングモータ
１２１…回転軸
１３…固定軸
１４…回転取り付け台
１５…実打機構
１５１…打鈴体
１５１ａ…撞木
１５２ｂ…取り付け部
１５２…支持体
１５３…ソレノイド
１５３ａ…作動軸
１５５…コイルバネ
１６−１〜１６−７…棒鈴
１７…棒鈴台
１８…ピックアップ機構部
１８１…第１取り付け板
１８２…第２取り付け板
１８３−１〜１８３−７…アンテナ柱
１８４…ピックアップ用コイル
１８５…磁石
２０…人形体
【図１】
2006308910.tif 000003
【図２】
2006308910.tif 000004
【図３】
2006308910.tif 000005
【図４】
2006308910.tif 000006
【図５】
2006308910.tif 000007
【図６】
2006308910.tif 000008
【図７】
2006308910.tif 000009